(57)【要約】【課題】店舗がレジ袋や２種類のカゴを用意することなく、未精算の商品と精算済の商品とを区別することが可能な販売データ処理装置およびプログラムを提供する。【解決手段】態様変更部は、精算処理部が精算処理を行ったことを条件に、バッグ（容器）の態様を、精算済であることを示す青色ＬＥＤの点灯状態（第１の態様）に変更する。また、態様変更部は、初期化処理部が初期化処理を行ったことを条件に、バッグ（容器）の態様を、未精算であることを示す白色ＬＥＤの点灯状態（第２の態様）に変更する。【選択図】図８
2020135620.tif 000002
【特許請求の範囲】
【請求項１】
第１の無線タグを備える容器に、第２の無線タグが付された商品を収容した状態で、当該第２の無線タグから読み取った無線タグ情報に基づいて、前記商品の精算を行う精算処理部と、
前記第１の無線タグと交信を行うことによって、前記容器を未精算の状態に初期化する初期化処理部と、
前記精算処理部が精算を行ったことを条件に、前記容器の態様を、精算済であることを示す第１の態様に変更するとともに、前記初期化処理部が初期化を行ったことを条件に、前記容器の態様を、未精算であることを示す第２の態様に変更する態様変更部と、
を備えた商品販売データ処理装置。
【請求項２】
前記態様変更部は、前記容器が備える発光部を、前記第１の態様に対応する発光パターンと、前記第２の態様に対応する発光パターンと、のいずれかのパターンで発光させる、
請求項１に記載の商品販売データ処理装置。
【請求項３】
前記容器は、客が所有するバッグである、
請求項１または請求項２に記載の商品販売データ処理装置。
【請求項４】
前記第１の無線タグは、前記容器を所有する客に係る情報を記憶する、
請求項３に記載の商品販売データ処理装置。
【請求項５】
前記容器は、店内備え付けのカゴである、
請求項１または請求項２に記載の商品販売データ処理装置。
【請求項６】
商品販売データ処理装置を制御するコンピュータを、
第１の無線タグを備える容器に、第２の無線タグが付された商品を収容した状態で、当該第２の無線タグから読み取った無線タグ情報に基づいて、前記商品の精算を行う精算処理部と、
前記第１の無線タグと交信を行うことによって、前記容器を未精算の状態に初期化する初期化処理部と、
前記精算処理部が精算を行ったことを条件に、前記容器の態様を、精算済であることを示す第１の態様に変更するとともに、前記初期化処理部が初期化を行ったことを条件に、前記容器の態様を、未精算であることを示す第２の態様に変更する態様変更部と、
して機能させるためのプログラム。
【発明の詳細な説明】
【技術分野】
【０００１】
本発明の実施形態は、商品販売データ処理装置およびプログラムに関する。
【背景技術】
【０００２】
例えば、スーパーマーケットやコンビニエンスストア等の店舗において、客が買物をする場合、店頭で商品を入れるカゴ（精算前の商品を入れるカゴ）やカート（以下、代表して「カゴ」という）を受け取る。客は、店舗内を廻り、購入する商品をカゴに入れる。購入する商品の選定が終了すると、客は、商品が入ったカゴを精算場所まで運ぶ。そして、精算場所に配置されたＰＯＳ端末等の販売データ処理装置において、店員又は客自身が、購入する商品に係る精算処理を実行する。このとき、店員又は客は、商品に付されている無線タグを、販売データ処理装置に読み取らせる。そして客は、購入した商品に係る支払いを行う。精算処理が終了した商品は、レジ袋に収容されるか、又は客自身が用意したバッグ等に商品を収容するために、一時的に、精算済であることを示すカゴに収容される。
【０００３】
そのため、店舗は、精算済の商品を収容するレジ袋を用意する必要があった。また、店舗は、精算前の商品と精算後の商品を区別するために２種類のカゴを用意する必要があった（例えば、特許文献１）。
【発明の概要】
【発明が解決しようとする課題】
【０００４】
本発明が解決しようとする課題は、店舗がレジ袋や２種類のカゴを用意することなく、未精算の商品と精算済の商品とを区別することが可能な販売データ処理装置およびプログラムを提供することである。
【課題を解決するための手段】
【０００５】
実施形態の商品販売データ処理装置は、精算処理部と、初期化処理部と、態様変更部とを備える。精算処理部は、第１の無線タグを備える容器に、第２の無線タグが付された商品を収容した状態で、第２の無線タグから読み取った無線タグ情報に基づいて、商品の精算を行う。初期化処理部は、第１の無線タグと交信を行うことによって、容器を未精算の状態に初期化する。態様変更部は、精算処理部が精算を行ったことを条件に、容器の態様を、精算済であることを示す第１の態様に変更するとともに、初期化処理部が初期化を行ったことを条件に、容器の態様を、未精算であることを示す第２の態様に変更する。
【図面の簡単な説明】
【０００６】
【図１】図１は、第１の実施形態に係る商品販売データ処理装置の一例を示す外観斜視図である。
【図２】図２は、精算処理部の正面図である。
【図３】図３は、セルフＰＯＳ端末のハードウェア構成の一例を示すハードウェアブロック図である。
【図４】図４は、初期化処理端末のハードウェア構成の一例を示すハードウェアブロック図である。
【図５】図５は、発光体の構造の一例を示す図である。
【図６】図６は、商品販売データ処理装置の機能構成の一例を示す機能ブロック図である。
【図７】図７は、商品販売データ処理装置とＲＦＩＤタグとがやり取りする情報を説明する図である。
【図８】図８は、バックが備える発光体の態様の遷移の一例を示す状態遷移図である。
【図９】図９は、第１の実施形態のセルフＰＯＳ端末が行う処理の流れの一例を示すフローチャートである。
【図１０】図１０は、第１の実施形態の初期化処理端末が行う処理の流れの一例を示すフローチャートである。
【図１１】図１１は、第２の実施形態で用いるカゴの一例を示す図である。
【図１２】図１２は、第２の実施形態の商品販売データ処理装置の機能構成の一例を示す機能ブロック図である。
【図１３】図１３は、第２の実施形態のセルフＰＯＳ端末が行う処理の流れの一例を示すフローチャートである。
【図１４】図１４は、第２の実施形態の初期化処理端末が行う処理の流れの一例を示すフローチャートである。
【発明を実施するための形態】
【０００７】
（第１の実施形態）
以下、図面を参照して、第１の実施形態に係る商品販売データ処理装置について説明する。なお、第１の実施形態では、購入した商品について、客が自ら精算を行う商品販売データ処理装置について説明する。なお、以下に説明する実施形態により、この発明が限定されるものではない。
【０００８】
（商品販売データ処理装置の全体構成の説明）
まず、商品販売データ処理装置の全体構成について説明する。図１は、第１の実施形態に係る商品販売データ処理装置１０の一例を示す外観斜視図である。商品販売データ処理装置１０は、図１に示すように、セルフＰＯＳ端末１と、初期化処理端末１ｃとを備える。また、セルフＰＯＳ端末１は、本体部１ａと、本体部１ａとは別体に設けられた精算処理端末１ｂとを備える。
【０００９】
セルフＰＯＳ端末１は、客が購入する商品について、客自身の操作で当該商品の売上登録処理および精算処理を行う装置である。売上登録処理は、客が購入する商品の商品情報をセルフＰＯＳ端末１に登録する処理である。より具体的には、セルフＰＯＳ端末１は、商品に付された無線タグからタグ情報を読み取ることで、商品を特定する商品コードを取得する。そして、セルフＰＯＳ端末１は、取得した商品コードに基づいて、商品マスタから当該商品の商品情報（商品名、価格等）を読み出す。さらに、セルフＰＯＳ端末１は、読み出した商品情報を表示することによって客に知らせるとともに、当該商品情報を記憶する。
【００１０】
精算処理は、セルフＰＯＳ端末１が売上登録処理によって記憶した商品情報に基づいて行われる。より具体的には、精算処理は、取引に係る合計金額や税額の表示、客から預かった預り金に基づいて釣銭を計算して表示する処理、釣銭の発行を釣銭機に指示する処理、商品情報や精算情報（合計金額、預り金額、釣銭額等）を印字したレシートを発行する処理である。
【００１１】
セルフＰＯＳ端末１の本体部１ａは、硬貨釣銭機、紙幣釣銭機、電源部（いずれも非図示）等を内部に収納する。また、本体部１ａは、客から預かった硬貨を投入する硬貨投入部１ａ１、硬貨分の釣銭を払い出す硬貨払い出し口１ａ２、客から預かった紙幣を投入する紙幣投入部１ａ３、紙幣分の釣銭を払い出す紙幣払い出し口１ａ４、商品情報や精算情報が印字されたレシートを発行するレシート発行口１ａ５、カードでの精算をする際にカードを投入するカード投入口１ａ６等を備える。
【００１２】
硬貨投入部１ａ１から投入した硬貨は、硬貨釣銭機に収納される。そして、セルフＰＯＳ端末１は、客に払い出す硬貨分の釣銭を、硬貨釣銭機に収納されている硬貨を硬貨払い出し口１ａ２に払い出す。また、紙幣投入部１ａ３から投入した紙幣は、紙幣釣銭機に収納される。そして、セルフＰＯＳ端末１は、客に払い出す紙幣分の釣銭を、紙幣釣銭機に収納されている紙幣を紙幣払い出し口１ａ４に払い出す。
【００１３】
また、本体部１ａは、本体部１ａの上部に表示部２２を備える。表示部２２は、商品情報や精算情報を客に表示する。また、本体部１ａは、円柱状のポール１ａ８を備え、ポール１ａ８の上方先端部には、パトランプ１ａ９を備える。パトランプ１ａ９は、セルフＰＯＳ端末１にエラーが発生した場合や、セルフＰＯＳ端末１の操作が分からない場合等に、客がアテンダントを呼び出すために点灯する。
【００１４】
図２は、精算処理端末１ｂの正面図である。精算処理端末１ｂは、箱状の本体部１ｂ１を有して、正面と上面とが開放された構造を有する。精算処理端末１ｂは、客が購入する商品が収容された、客が所有するバッグ８０を収納する。
【００１５】
バッグ８０は、客の所有物であり、客自身が店舗に持ち込んで、購入する商品Ｋを収容する。バッグ８０は、持ち手８０ａを備える。客は、購入する商品Ｋが収容されたバッグ８０の持ち手８０ａを、精算処理端末１ｂに設置された棒状の支持部１ｂ２に引っ掛けることによって、バッグ８０を精算処理端末１ｂに収納する。
【００１６】
バッグ８０は、ＲＦＩＤタグ８２を内蔵している。また、バッグ８０の表面には、発光体８４が設けられる。ＲＦＩＤタグ８２には、客を一意に特定する識別番号（会員番号）等の客に係る情報が登録されている。なお、ＲＦＩＤタグ８２は第１の無線タグの一例である。また、発光体８４は、発光部の一例である。
【００１７】
発光体８４は、バッグ８０の表面に、外部から視認可能に設置された、例えばポリカーボネート等の導光部材で形成され導光体である。発光体８４には、例えばＬＥＤ（Light  Emitting  Diode）から出射した光が入射される。発光体８４に入射した光は、全反射を繰り返して発光体８４の内部を導光する。そして、発光体８４の表面に形成された面形状の出射部から外部に出射することによって面発光する。なお、発光体８４の詳細な構造は後述する（図５）。
【００１８】
バッグ８０に収容された、客が購入する商品Ｋには、ＲＦＩＤタグ９２が付されている。ＲＦＩＤタグ９２には、商品Ｋを一意に特定する識別番号（例えば商品コード）が登録されている。なお、ＲＦＩＤタグ９２は第２の無線タグの一例である。
【００１９】
精算処理端末１ｂの内部の側面部には、近接センサ２６が設置されている。近接センサ２６は、例えば透過式のセンサであり、一方が発光部で構成され、他方が受光部で構成される。近接センサ２６は、発光部から放射された光が受光部で受光されなければ、支持部１ｂ３に引っ掛けられているバッグ８０を検知したことを示す情報を出力する。また、近接センサ２６は、発光部から放射された光が受光部で受光されれば、支持部１ｂ２に引っ掛けられたバッグ８０を検知していないことを示す情報を出力する。
【００２０】
精算処理端末１ｂの内部の側面部と底面部には、アンテナ２４１が設置されている。アンテナ２４１は、無線タグリーダ２４（図３参照）と電気的に接続されており、バッグ８０、及びバッグ８０に収容された商品Ｋに向けて電波を送信する。ＲＦＩＤタグ９２は、タグ情報を尋ねる信号を受信した場合に、自身に登録された商品特定情報を含むタグ情報を、精算処理端末１ｂに送信する。そして、アンテナ２４１は、ＲＦＩＤタグ９２から送信されたタグ情報を受信する。このようにして、無線タグリーダ２４は、バッグ８０に収容された全ての商品Ｋに係るタグ情報を一括して読み取る。また、ＲＦＩＤタグ８２は、電波に重畳された、客の会員番号を尋ねる信号を受信した場合に、自身に登録されている会員番号を、精算処理端末１ｂに送信する。そして、アンテナ２４１は、ＲＦＩＤタグ８２から送信された会員番号を受信する。このようにして、無線タグリーダ２４は、バッグ８０の所有者の会員情報を取得する。
【００２１】
また、ＲＦＩＤタグ８２は、精算処理端末１ｂのアンテナ２４１から放射される電波を受けて起電力を発生し、発生した起電力によって、発光体８４を、例えば青色に点灯させる。また、ＲＦＩＤタグ８２は、精算処理端末１ｂのアンテナ２４１から放射される電波を受けて起電力を発生し、発生した起電力によって、バッグ８０が備える、非図示のコンデンサ又は充電池を充電し、当該コンデンサ又は充電池を放電させることによって、発光体８４を、例えば青色に点灯させてもよい。なお、このとき、ＲＦＩＤタグ８２は、精算処理端末１ｂのアンテナ２４１から放射される、精算処理が完了したことを示す情報が重畳された電波を受けて、精算処理が完了した旨の情報を記憶してもよい。
【００２２】
再び図１に戻り、初期化処理端末１ｃは、支持部１ｂ２に引っ掛けたバッグ８０が備えるＲＦＩＤタグ８２を、未精算の状態とする初期化処理を行う。このとき、ＲＦＩＤタグ８２は、初期化処理端末１ｃのアンテナ２４１から放射される電波を受けて起電力を発生し、発生した起電力によって、発光体８４を、青色とは異なる色、例えば白色で点灯させる。なお、このとき、初期化処理端末１ｃは、ＲＦＩＤタグ８２に、未精算状態であることを示す情報を記憶させてもよい。
【００２３】
初期化処理端末１ｃは、店舗に出入りする客が必ず通過する位置（例えば店舗の出入口等）に設置される。なお、初期化処理端末１ｃは、精算処理端末１ｂと、ほぼ同様のハードウェア構成を有するが、初期化の開始を指示する操作キー２１４を備える点が、精算処理端末１ｂと異なる。詳しくは後述する（図４）。なお、本実施の形態では、客が操作キー２１４を操作することによって、初期化の開始を指示する構成として説明するが、必ずしも操作キー２１４を備える必要はない。すなわち、初期化処理端末１ｃを常時動作状態にしておいて、客がバッグ８０を収納した際に初期化を実行する構成にしてもよい。或いは、精算処理端末１ｂが備えるのと同様の近接センサ２６がバッグ８０を検知した際に、初期化を実行する構成にしてもよい。
【００２４】
（セルフＰＯＳ端末のハードウェア構成の説明）
次に、セルフＰＯＳ端末１のハードウェアについて説明する。図３は、セルフＰＯＳ端末１のハードウェア構成の一例を示すハードウェアブロック図である。セルフＰＯＳ端末１は、制御部１００と、メモリ部１０４と、コントローラ１０６と、通信Ｉ／Ｆ（Interface）１０８とを備える。
【００２５】
制御部１００は、ＣＰＵ（Central  Processing  Unit）１０１と、ＲＯＭ（Read  Only  Memory）１０２と、ＲＡＭ（Random  Access  Memory）１０３とを備える。ＣＰＵ１０１は、バスライン１０５を介して、ＲＯＭ１０２と、ＲＡＭ１０３と接続する。ＣＰＵ１０１は、ＲＯＭ１０２やメモリ部１０４に記憶された制御プログラムＰ１を、ＲＡＭ１０３に展開する。ＣＰＵ１０１は、ＲＡＭ１０３に展開された制御プログラムＰ１に従って動作することでセルフＰＯＳ端末１の動作を制御する。すなわち、制御部１００は、一般的なコンピュータの構成を有する。
【００２６】
制御部１００は、更に、バスライン１０５を介して、メモリ部１０４と、コントローラ１０６と、通信Ｉ／Ｆ１０８と接続する。
【００２７】
メモリ部１０４は、電源を切っても記憶情報が保持される、フラッシュメモリ等の不揮発性メモリ、又はＨＤＤ（Hard  Disk  Drive）等である。メモリ部１０４は、制御プログラムＰ１を含むプログラム等を記憶する。制御プログラムＰ１は、セルフＰＯＳ端末１が備える機能を発揮させるためのプログラムである。
【００２８】
なお、制御プログラムＰ１は、ＲＯＭ１０２に予め組み込まれて提供されてもよい。また、制御プログラムＰ１は、制御部１００にインストール可能な形式又は実行可能な形式のファイルで、ＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供するように構成してもよい。さらに、制御プログラムＰ１を、インターネット等のネットワークに接続されたコンピュータ上に格納し、ネットワーク経由でダウンロードさせることにより提供するように構成してもよい。また、制御プログラムＰ１を、インターネット等のネットワーク経由で提供又は配布するように構成してもよい。
【００２９】
また、メモリ部１０４は、商品マスタＭ１と、商品登録ファイルＦ１とを記憶する。商品マスタＭ１は、店舗で取り扱っている商品の商品情報（商品コード、商品名、価格等）を記憶したマスタファイルである。なお、店舗で取り扱う商品は日々変化するため、セルフＰＯＳ端末１は、通信Ｉ／Ｆ１０８を用いて、非図示の店舗サーバや本部サーバから、最新の商品マスタＭ１を取得する。
【００３０】
商品登録ファイルＦ１は、商品マスタＭ１から取得した、客が購入する商品の商品情報（商品名、価格等）を記憶したファイルである。
【００３１】
コントローラ１０６は、図３に記載した、操作部２１と、表示部２２と、プリンタ２３と、無線タグリーダ２４と、カードＲ／Ｗ（リーダ／ライタ）２５と、近接センサ２６と接続する。コントローラ１０６は、制御部１００からの指令に基づいて、接続された各種ハードウェアの動作を制御する。
【００３２】
操作部２１は、読取キー２１１、締めキー２１２を含むキーボードやタッチパネルである。読取キー２１１は、支持部１ｂ３に引っ掛けられたバッグ８０に収容された商品Ｋに付されたＲＦＩＤタグ９２の読み取りを開始するためのキーである。締めキー２１２は、登録処理された商品について、精算処理を開始するためのキーであり、取引を終了する際に操作されるキーである。
【００３３】
表示部２２は、セルフＰＯＳ端末１を操作する客に対して情報を表示する。プリンタ２３は、長尺状の用紙に、売上情報を印字したレシートを発行する。無線タグリーダ２４は、アンテナ２４１から精算処理端末１ｂの内部に電波を送信し、精算処理端末１ｂ内の商品Ｋに付されたＲＦＩＤタグ９２のタグ情報をアンテナ２４１で受信して読み取る。また、無線タグリーダ２４は、ＲＦＩＤタグ８２からの客の会員番号をアンテナ２４１で受信して読み取る。カードＲ／Ｗ２７は、客が支払いに使用するカード（例えばクレジットカード）から、カード特定情報を読み取る。
【００３４】
通信Ｉ／Ｆ１０８は、店舗サーバや本部サーバ（いずれも非図示）や他のセルフＰＯＳ端末１と通信を行い、最新の商品マスタＭ１を受信するとともに、精算処理の結果を示す売上ファイル等の情報を上位サーバに送信する等の通信を行う。
【００３５】
（初期化処理端末のハードウェア構成の説明）
次に、初期化処理端末１ｃのハードウェアについて説明する。図４は、初期化処理端末１ｃのハードウェア構成の一例を示すハードウェアブロック図である。初期化処理端末１ｃは、制御部１１０と、メモリ部１１４と、コントローラ１１６と、通信Ｉ／Ｆ１１８とを備える。
【００３６】
なお、初期化処理端末１ｃのハードウェア構成は、セルフＰＯＳ端末１が備える精算処理端末１ｂのハードウェア構成と同様であるため、精算処理端末１ｂとは異なる点のみ説明する。
【００３７】
初期化処理端末１ｃは、コントローラ１１６を介して、操作キー２１４と接続する。操作キー２１４は、初期化処理端末１ｃに対して、初期化処理の開始を指示するキーである。
【００３８】
無線タグリーダ２４は、ＲＦＩＤタグ９２から送信されてアンテナ２４１が受信したタグ情報を読み取る。また、無線タグリーダ２４は、ＲＦＩＤタグ８２から送信されてアンテナ２４１が受信した、客の会員番号を読み取る。
【００３９】
通信Ｉ／Ｆ１１８は、非図示の店舗サーバと通信を行い、初期化処理端末１ｃの動作状態を店舗サーバに送信する等の通信を行う。
【００４０】
（発光部の構造の説明）
次に、図５を用いて、バッグ８０が備える発光体８４の構造を説明する。図５は、発光体８４の構造の一例を示す図である。
【００４１】
図５（ａ）に示すように、発光体８４の端部には、白色ＬＥＤ８５と青色ＬＥＤ８６とが設置されている。なお、白色ＬＥＤ８５と青色ＬＥＤ８６とは、放射した光が、発光体８４の端部から、発光体８４の内部に漏れなく入射するように設置される。
【００４２】
図５（ｂ）に示すように、発光体８４の表面８４ａ、すなわち外部から視認される面は、擦りガラス状の拡散面を形成する。一方、発光体８４の裏面８４ｂ、すなわちバッグ８０に面する側は、平滑面を形成する。そして、青色ＬＥＤ８６から放射した光線Ｒは、図５（ｂ）に示すように、発光体８４の内部を、反射を繰り返しながら進行する。
【００４３】
このとき、表面８４ａに達した光の一部は、表面８４ａ上の、例えば点Ｑ１，Ｑ２，Ｑ３，…において、拡散光として外部に放射する。そして、表面８４ａで全反射した光、すなわち臨界角よりも浅い角度で入射した光のみが、発光体８４の奥まで進行する。一方、裏面８４ｂに達した光のうち臨界角よりも浅い角度で入射した光は、裏面８４ｂ上の、例えば点Ｎ１，Ｎ２，Ｎ３，Ｎ４，…において全反射を繰り返して、発光体８４の奥まで進行する。
【００４４】
このように、発光体８４は、点状の光源から出射した光を導光して面発光させる。これによって、自由な形状の面光源を形成することができるため、視認性が高い表示を行うことができる。このような導光体を用いた照明は、例えば、液晶パネルのバックライト等で広く利用されている。
【００４５】
（第１の実施形態の商品販売データ処理装置の機能構成の説明）
次に、図６を用いて、商品販売データ処理装置１０の機能構成を説明する。図６は、商品販売データ処理装置１０の機能構成の一例を示す機能ブロック図である。セルフＰＯＳ端末１の制御部１００は、制御プログラムＰ１をＲＡＭ１０３に展開して動作させることによって、図６に示す容器収容判断部１２１と、タグ情報読取部１２２と、登録情報読取部１２３と、売上登録部１２４と、精算処理部１２５と、態様変更部１２６と、サービス提供部１２７と、操作制御部１２８とを機能部として実現する。また、初期化処理端末１ｃの制御部１１０は、制御プログラムＰ２をＲＡＭ１１３に展開して動作させることによって、図６に示す容器収容判断部１３１と、初期化処理部１３２と、態様変更部１３３と、操作制御部１３４を機能部として実現する。
【００４６】
容器収容判断部１２１は、近接センサ２６からの出力に基づいて、バッグ８０を検出したかを判断する。具体的には、容器収容判断部１２１は、読取キー２１１が操作された場合に、近接センサ２６からの出力に基づいて、バッグ８０を検出したかを判断する。
【００４７】
タグ情報読取部１２２は、容器収容判断部１２１がバッグ８０を検知した場合、アンテナ２４１から電波を送信し、バッグ８０に入れられた商品Ｋに付されたＲＦＩＤタグ９２から商品特定情報を含むタグ情報を読み取る。
【００４８】
登録情報読取部１２３は、容器収容判断部１２１がバッグ８０を検知した場合、アンテナ２４１から電波を送信し、バッグ８０が備えるＲＦＩＤタグ８２から、客の会員情報を読み取る。
【００４９】
売上登録部１２４は、タグ情報読取部１２２が読み取った商品特定情報に基づいて商品マスタＭ１から商品情報を読み出して、バッグ８０に入れられた商品Ｋに係る売上登録処理を実行する。
【００５０】
精算処理部１２５は、売上登録処理を行った結果に基づいて、商品Ｋの精算処理を行う。具体的には、例えば現金で精算をする場合には、客が投入した金銭（紙幣や硬貨）の金額と商品の合計金額に基づいて、釣銭がある場合は釣銭を払い出し、売上登録処理された商品の商品情報や精算情報（合計金額、預り金額、釣銭額、等）を印字したレシートをプリンタ２３から発行する。なお、このとき、精算処理部１２５は、ＲＦＩＤタグ８２に対して、精算済であることを示す情報を登録してもよい。
【００５１】
態様変更部１２６は、精算処理部１２５が精算処理を行ったことを条件に、バッグ８０の発光体８４の態様を、青色ＬＥＤ８６が点灯して白色ＬＥＤ８５が消灯した状態にする。この態様は、精算済であることを示すものである。なお、青色ＬＥＤ８６が点灯して白色ＬＥＤ８５が消灯した状態は、第１の態様の一例である。
【００５２】
サービス提供部１２７は、登録情報読取部１２３が読み取った会員番号の客に対して、例えば、精算額に応じたポイントを付与する等のサービスを行う。付与されたポイント情報は、通信Ｉ／Ｆ１０８を介して、本部サーバに送信されて、該当する客のポイント情報が更新される。なお、サービス提供部１２７は、読み取った客の会員番号に基づいて、客にサービスを提供する以外に、客の買い物に係る情報（例えばいつ何を購入したか等）を取得、蓄積して、店舗における商品の品揃え等に反映させてもよい。
【００５３】
操作制御部１２８は、セルフＰＯＳ端末１に対する客の操作を検出する。例えば、操作制御部１２８は、読取キー２１１や締めキー２１２等が操作されたことを検出する。
【００５４】
容器収容判断部１３１は、近接センサ２６からの出力に基づいて、バッグ８０を検出したかを判断する。具体的には、容器収容判断部１２１は、操作キー２１４が操作された場合に、近接センサ２６からの出力に基づいて、バッグ８０を検出したかを判断する。
【００５５】
初期化処理部１３２は、ＲＦＩＤタグ８２と交信を行うことによってバッグ８０を未精算の状態に初期化する初期化処理を行う。なお、初期化処理部１３２は、初期化処理を行った際に、ＲＦＩＤタグ８２に対して、初期化済であることを示す情報を登録してもよい。
【００５６】
態様変更部１３３は、初期化処理部１３２が初期化処理を行ったことを条件に、バッグ８０の発光体８４の態様を、白色ＬＥＤ８５が点灯して青色ＬＥＤ８６が消灯した状態にする。この態様は、未精算であることを示すものである。なお、白色ＬＥＤ８５が点灯して青色ＬＥＤ８６が消灯した状態は、第２の態様の一例である。
【００５７】
（商品販売データ処理装置がＲＦＩＤタグとやり取りする情報の説明）
次に、図７を用いて、商品販売データ処理装置１０がＲＦＩＤタグ８２，９２とやり取りする情報を整理して説明する。図７は、セルフＰＯＳ端末１及び初期化処理端末１ｃとＲＦＩＤタグ８２，９２とがやり取りする情報を説明する図である。
【００５８】
セルフＰＯＳ端末１の精算処理部１２５は、ＲＦＩＤタグ９２（第２の無線タグ）に対して、タグ情報の送信をリクエストする信号を送信する。ＲＦＩＤタグ９２は、タグ情報送信リクエストを受信すると、精算処理部１２５に対して、商品Ｋのタグ情報を送信する。
【００５９】
精算処理部１２５は、ＲＦＩＤタグ８２（第１の無線タグ）に対して、精算完了情報を送信する。ＲＦＩＤタグ８２は、精算完了情報を受信すると、青色ＬＥＤ８６を点灯させて、白色ＬＥＤ８５を消灯させる。なお、ＲＦＩＤタグ８２は、精算完了情報を受信した際に、精算が完了したことを示す情報を記憶してもよい。
【００６０】
また、精算処理部１２５は、ＲＦＩＤタグ８２に対して、会員番号の送信をリクエストする信号を送信する。そして、ＲＦＩＤタグ８２は、会員番号送信リクエストを受信すると、精算処理部１２５に対して、自身に登録されている会員番号を送信する。
【００６１】
初期化処理端末１ｃの初期化処理部１３２は、ＲＦＩＤタグ８２に対して、初期化情報を送信する。ＲＦＩＤタグ８２は、初期化情報を受信すると、白色ＬＥＤ８５を点灯させて、青色ＬＥＤ８６を消灯させる。なお、ＲＦＩＤタグ８２は、初期化情報を受信した際に、初期化が完了したことを示す情報を記憶してもよい。
【００６２】
（バッグが備える発光体の態様の遷移の説明）
次に、図８を用いて、バッグ８０が備える発光体８４の態様の遷移を説明する。図８は、バッグ８０が備える発光体８４の態様の遷移の一例を示す状態遷移図である。
【００６３】
客が店舗に入店した際には、バッグ８０の発光体８４は、白色ＬＥＤ８５と青色ＬＥＤ８６とがともに消灯した状態、すなわち、初期化されていない状態になっている（状態Ｈ１）。
【００６４】
客は、店舗の出入口にある初期化処理端末１ｃによって初期化処理を行う（アークＡ１）。初期化処理を行うことによって、バッグ８０の発光体８４は、白色ＬＥＤ８５が点灯して、青色ＬＥＤ８６が消灯した状態、すなわち、未精算であることを示す状態に遷移する（状態Ｈ２）。
【００６５】
また、状態Ｈ１にあるとき、初期化処理の実行を怠った客が買い物を済ませて、セルフＰＯＳ端末１で精算処理を行う（アークＡ２）と、バッグ８０の発光体８４は、青色ＬＥＤ８６が点灯して、白色ＬＥＤ８５が消灯した状態、すなわち、精算済であることを示す状態に遷移する（状態Ｈ３）。すなわち、何らかの理由で初期化を怠る客もいるため、状態Ｈ１であっても精算処理の実行を可能とする。
【００６６】
状態Ｈ２にあるとき、客が買い物を済ませて、セルフＰＯＳ端末１で精算処理を行う（アークＡ３）と、状態Ｈ３に遷移する。
【００６７】
また、状態Ｈ２にあるとき、所定時間が経過する（アークＡ４）と、状態Ｈ１に遷移する。なお、所定時間とは、例えば、白色ＬＥＤ８５に電源を供給する充電池の残量が減少するまでの時間である。
【００６８】
状態Ｈ３にあるとき、精算を済ませた客が、店舗の出入口にある初期化処理端末１ｃによって初期化処理を行う（アークＡ５）と、状態Ｈ２に遷移する。
【００６９】
また、状態Ｈ３にあるとき、所定時間が経過する（アークＡ６）と、状態Ｈ１に遷移する。
【００７０】
このように、本実施形態の商品販売データ処理装置１０は、バッグ８０の発光体８４の態様（点灯状態）を、異なる複数の態様の間で、何度でも変更可能である。すなわち、客は、バッグ８０を繰り返し使用することができる。
【００７１】
（第１の実施形態のセルフＰＯＳ端末が行う処理の流れの説明）
次に、図９を用いて、セルフＰＯＳ端末１が行う処理の流れを説明する。図９は、第１の実施形態のセルフＰＯＳ端末１が行う処理の流れの一例を示すフローチャートである。
【００７２】
操作制御部１２８は、読取キー２１１が押されたかを判定する（ステップＳ１１）。読取キー２１１が押されたと判定される（ステップＳ１１：Ｙｅｓ）と、ステップＳ１２に進む。一方、読取キー２１１が押されたと判定されない（ステップＳ１１：Ｎｏ）と、ステップＳ１１を繰り返す。
【００７３】
容器収容判断部１２１は、バッグ８０を検出したかを判定する（ステップＳ１２）。バッグ８０を検出したと判定される（ステップＳ１２：Ｙｅｓ）と、ステップＳ１３に進む。一方、バッグ８０を検出したと判定されない（ステップＳ１２：Ｎｏ）と、ステップＳ１２を繰り返す。
【００７４】
タグ情報読取部１２２は、ＲＦＩＤタグ９２に登録されている、商品Ｋのタグ情報を読み取る（ステップＳ１３）。
【００７５】
登録情報読取部１２３は、ＲＦＩＤタグ８２に登録されている、客の会員番号を読み取る（ステップＳ１４）。
【００７６】
売上登録部１２４は、売上登録処理を行う（ステップＳ１５）。
【００７７】
操作制御部１２８は、締めキー２１２が押されたかを判定する（ステップＳ１６）。締めキー２１２が押されたと判定される（ステップＳ１６：Ｙｅｓ）と、ステップＳ１７に進む。一方、締めキー２１２が押されたと判定されない（ステップＳ１６：Ｎｏ）と、ステップＳ１６を繰り返す。
【００７８】
ステップＳ１６においてＹｅｓと判定されると、精算処理部１２５は、精算処理を実行する（ステップＳ１７）。なお、このとき、ＲＦＩＤタグ８２は、精算処理が完了したことを記憶してもよい。
【００７９】
態様変更部１２６は、発光体８４の状態を、青色ＬＥＤ８６が点灯して白色ＬＥＤ８５が消灯した状態にする。（ステップＳ１８）。
【００８０】
サービス提供部１２７は、ステップＳ１４で取得した会員番号の会員に、精算額に応じたポイントを付与する（ステップＳ１９）。その後、セルフＰＯＳ端末１は、図９の処理を終了する。
【００８１】
（第１の実施形態の初期化処理端末が行う処理の流れの説明）
次に、図１０を用いて、初期化処理端末１ｃが行う処理の流れを説明する。図１０は、第１の実施形態の初期化処理端末１ｃが行う処理の流れの一例を示すフローチャートである。
【００８２】
操作制御部１３４は、操作キー２１４が押されたかを判定する（ステップＳ２１）。操作キー２１４が押されたと判定される（ステップＳ２１：Ｙｅｓ）と、ステップＳ２２に進む。一方、操作キー２１４が押されたと判定されない（ステップＳ２１：Ｎｏ）と、ステップＳ２１を繰り返す。
【００８３】
容器収容判断部１３１は、バッグ８０を検出したかを判定する（ステップＳ２２）。バッグ８０を検出したと判定される（ステップＳ２２：Ｙｅｓ）と、ステップＳ２３に進む。一方、バッグ８０を検出したと判定されない（ステップＳ２２：Ｎｏ）と、ステップＳ２２を繰り返す。
【００８４】
初期化処理部１３２は、バッグ８０を未精算の状態に初期化する初期化処理を行う。なお、このとき、ＲＦＩＤタグ８２は、初期化処理が完了したことを記憶してもよい。（ステップＳ２３）。
【００８５】
態様変更部１３３は、発光体８４の状態を、白色ＬＥＤ８５が点灯して青色ＬＥＤ８６が消灯した状態にする。（ステップＳ２４）。その後、初期化処理端末１ｃは、図１０の処理を終了する。
【００８６】
以上説明したように、第１の実施形態の商品販売データ処理装置１０は、態様変更部１２６が、精算処理部１２５が精算処理を行ったことを条件に、バッグ８０（容器）の態様を、精算済であることを示す青色ＬＥＤ８６の点灯状態（第１の態様）に変更する。また、態様変更部１３３が、初期化処理部１３２が初期化処理を行ったことを条件に、バッグ８０（容器）の態様を、未精算であることを示す白色ＬＥＤ８５の点灯状態（第２の態様）に変更する。したがって、客が所有するバッグ８０の態様で、未精算の状態と精算済の状態とを区別することができる。これによって、容器を入れ替える手間が減るため、精算処理に要する時間を短くすることができる。また、店舗は、レジ袋や２種類のカゴを用意する必要がない。さらに、第１の態様と第２の態様とは、何度でも繰り返し変更することができるため、バッグ８０は何度でも使用することができる。
【００８７】
また、第１の実施形態の商品販売データ処理装置１０において、態様変更部１２６，１３３は、バッグ８０（容器）が備える発光体８４（発光部）を、第１の態様に対応する発光パターンと、第２の態様に対応する発光パターンと、のいずれかのパターンで発光させる。したがって、精算の状態を店内の店員等に明示することができる。
【００８８】
また、第１の実施形態の商品販売データ処理装置１０は、客が所有するバッグ８０（容器）に商品Ｋが収容された状態で、一括して精算処理を行う。そして、バッグ８０が備える発光体８４（発光部）に精算の状態を示す情報を表示する。したがって、客は、自身が所有するバッグ８０に商品Ｋを収容しながら買い物を行い、バッグ８０に商品Ｋを収容した状態で精算を行うことができる。
【００８９】
また、第１の実施形態の商品販売データ処理装置１０は、バッグ８０（容器）が備えるＲＦＩＤタグ８２（第１の無線タグ）に記憶された、バッグ８０を所有する客に係る情報を読み取る。したがって、精算額に応じたポイントを付与する等の、客に応じたサービスを提供することができる。
【００９０】
（第２の実施形態）
次に、第２の実施形態に係る商品販売データ処理装置１０ａについて説明する。商品販売データ処理装置１０ａは、第１の実施形態で説明したバッグ８０の代わりに、店舗に備え付けのカゴ９６を用いる例である。商品販売データ処理装置１０ａは、前記した商品販売データ処理装置１０とほぼ同様のシステム構成を備えるため、重複する構成要素は、同じ符号を用いて説明する。また、重複する機能の説明は、適宜省略する。
【００９１】
（カゴの構成の説明）
まず、図１１を用いて、商品販売データ処理装置１０ａに用いるカゴ９６について説明する。図１１は、第２の実施形態で用いるカゴ９６の一例を示す図である。なお、カゴ９６は、容器の一例である。
【００９２】
カゴ９６は、店舗に備え付けられたものであり、一般的な小売店で用いられているカゴと同様の形態を有する。カゴ９６の上部には、回動可能な持ち手９６ａが取り付けられている。また、カゴ９６の側面には、第１の実施形態で説明したバッグ８０と同様に、ＲＦＩＤタグ８２と、発光体８４とが設置されている。ＲＦＩＤタグ８２は、精算処理端末１ｂのアンテナ２４１から放射される電波を受けて起電力を発生し、発生した起電力によって、発光体８４を青色に点灯させる。また、ＲＦＩＤタグ８２は、初期化処理端末１ｃのアンテナ２４１から放射される電波を受けて起電力を発生し、発生した起電力によって、発光体８４を白色に点灯させる。なお、ＲＦＩＤタグ８２は、カゴ９６の精算状態（未精算、清算済）に係る情報を記憶してもよい。また、カゴ９６は、不特定多数の客に使用されるため、ＲＦＩＤタグ８２には、第１の実施形態で説明した、客の会員番号は登録されていない。なお、発光体８４は、第１の実施形態のバッグ８０が備える発光体８４と同じ機能を備える。
【００９３】
（第２の実施形態の商品販売データ処理装置の機能構成の説明）
次に、図１２を用いて、商品販売データ処理装置１０ａの機能構成を説明する。図１２は、第２の実施形態の商品販売データ処理装置１０ａの機能構成の一例を示す機能ブロック図である。
【００９４】
商品販売データ処理装置１０ａを構成するセルフＰＯＳ端末１の制御部１００は、図１２に示す各機能部を備える。すなわち、第１の実施形態で説明した制御部１００の機能構成（図６）と比較すると、登録情報読取部１２３とサービス提供部１２７とを除いた構成を有している。
【００９５】
また、商品販売データ処理装置１０ａを構成する初期化処理端末１ｃの制御部１１０は、第１の実施形態で説明した制御部１１０と同じ機能構成（図６）を備える。
【００９６】
（第２の実施形態の商品販売データ処理装置の作用の説明）
次に、商品販売データ処理装置１０ａの作用を説明する。前記したカゴ９６は、店舗のカゴ置き場に置かれている。そして、カゴ置き場の近傍には、第１の実施形態で説明した初期化処理端末１ｃが置かれている。買い物を済ませた客がカゴ置き場にカゴ９６を戻すと、店舗の担当者は、カゴ置き場に戻されたカゴ９６を初期化処理端末１ｃに収容する。そして、初期化処理端末１ｃは、第１の実施形態で説明した初期化処理を行う。このとき、カゴ９６の発光体８４は、白色ＬＥＤ８５が点灯した状態、すなわち未精算を示す第２の態様になる。こうして初期化処理されたカゴ９６が、カゴ置き場に戻される。
【００９７】
店舗を訪れた客は、カゴ置き場から、初期化されたカゴ９６を取り出す。そして、客は、カゴ９６に商品Ｋを収容しながら買い物を行う。買い物が終了すると、客は、カゴ９６を精算処理端末１ｂに収容する。そして、精算処理端末１ｂは、第１の実施形態で説明した初期化処理を行う。このとき、カゴ９６の発光体８４は、青色ＬＥＤ８６が点灯した状態、すなわち精算済を示す第１の態様になる。
【００９８】
このようにして精算を済ませた客は、カゴ置き場にカゴ９６を戻して店舗から退出する。なお、客は、精算処理端末１ｂの近傍に設置された作荷台で、商品Ｋを、精算済のカゴ９６から買い物袋等に収容する。この作荷台の近傍に初期化処理端末１ｃを設置して、商品Ｋを買い物袋等に収容した後で、客に初期化処理を行わせてもよい。
【００９９】
（第２の実施形態のセルフＰＯＳ端末が行う処理の流れの説明）
次に、図１３を用いて、セルフＰＯＳ端末１が行う処理の流れを説明する。図１３は、第２の実施形態のセルフＰＯＳ端末１が行う処理の流れの一例を示すフローチャートである。
【０１００】
第２の実施形態のセルフＰＯＳ端末１は、図１３に示すステップＳ３１からステップＳ３７の各処理を行う。これらの処理の内容は、第１の実施形態のセルフＰＯＳ端末１が実行するステップＳ１１からステップＳ１９の各処理（図９）の中から、客の会員番号を取得する処理（ステップＳ１４）と、取得した会員番号の会員にポイントを付与する処理（ステップＳ１９）を除いたものである。
【０１０１】
（第２の実施形態の初期化処理端末が行う処理の流れの説明）
次に、図１４を用いて、初期化処理端末１ｃが行う処理の流れを説明する。図１４は、第２の実施形態の初期化処理端末１ｃが行う処理の流れの一例を示すフローチャートである。
【０１０２】
第２の実施形態の初期化処理端末１ｃは、図１４に示すステップＳ４１からステップＳ４４の各処理を行う。これらの処理の内容は、第１の実施形態の初期化処理端末１ｃが実行するステップＳ２１からステップＳ２４の各処理（図１０）と同様である。
【０１０３】
以上説明したように、第２の実施形態の商品販売データ処理装置１０ａにおいて、態様変更部１２６，１３３は、カゴ９６（容器）が備える発光体８４（発光部）を、精算済であることを示す第１の態様と、未精算の状態であることを示す第２の態様と、のいずれかの態様で発光させる。したがって、精算の状態を店内の店員等に明示することができる。また、１種類のカゴ９６で、精算済の状態と未精算の状態とを変更可能に、繰り返し明示することができる。
【０１０４】
なお、第１の実施形態で説明したバッグ８０と、第２の実施形態で説明したカゴ９６との違いは、ＲＦＩＤタグ８２（第１の無線タグ）に、客の会員番号が登録されているか否かだけであるため、商品販売データ処理装置１０の構成で、カゴ９６を使用することも可能である。すなわち、カゴ９６が精算処理端末１ｂに収容された状態で、商品販売データ処理装置１０の登録情報読取部１２３がＲＦＩＤタグ８２から客の会員番号を読み取る際に、ＲＦＩＤタグ８２からの応答がない場合には、登録情報読取部１２３は、会員番号が未登録であると判断すればよい。このように、商品販売データ処理装置１０は、バッグ８０とカゴ９６の混在を許容することができる。
【０１０５】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０６】
１              セルフＰＯＳ端末
１ｂ            精算処理端末
１ｃ            初期化処理端末
１０            商品販売データ処理装置
８０            バッグ（容器）
８２            ＲＦＩＤタグ（第１の無線タグ）
８４            発光体（発光部）
８５            白色ＬＥＤ
８６            青色ＬＥＤ
９２            ＲＦＩＤタグ（第２の無線タグ）
９６            カゴ（容器）
１２１          容器収容判断部
１２２          タグ情報読取部
１２３          登録情報読取部
１２４          売上登録部
１２５          精算処理部
１２６，１３３  態様変更部
１２７          サービス提供部
１３２          初期化処理部
Ｋ              商品
【先行技術文献】
【特許文献】
【０１０７】
【特許文献１】特開２０１８−０７９０９０号公報
【図１】
2020135620.tif 000003
【図２】
2020135620.tif 000004
【図３】
2020135620.tif 000005
【図４】
2020135620.tif 000006
【図５】
2020135620.tif 000007
【図６】
2020135620.tif 000008
【図７】
2020135620.tif 000009
【図８】
2020135620.tif 000010
【図９】
2020135620.tif 000011
【図１０】
2020135620.tif 000012
【図１１】
2020135620.tif 000013
【図１２】
2020135620.tif 000014
【図１３】
2020135620.tif 000015
【図１４】
2020135620.tif 000016